(57)【特許請求の範囲】
【請求項１】
可撓性を有するとともに上部に開口を有する外容器と、
同じく可撓性を有するとともに上部に開口を有し、前記外容器と開口を共有するように外容器内に設けられ、内部に液状、クリーム状又はペースト状の毛髪用化粧料を収容する内容器と、
外容器と内容器の共有開口を閉塞する蓋体とを備え、
前記蓋体の上部には複数の櫛歯からなる櫛部を設けるとともに、その櫛歯を内容器の軸線方向の外方に向けて配置し、該櫛歯に吐出孔を穿設し、外容器をスクイズすることにより内容器に充填された毛髪用化粧料を櫛歯の吐出孔から吐出し、スクイズを止めることによりその吐出が止まるとともに、外容器と内容器との間の第１空間部に、蓋体の表面に設けられた空気流入孔と、該孔から流入した毛髪用化粧料が流入しないように空気流入孔から流入した毛髪用化粧料を受容する第２空間部を介して蓋体の内部に設けられた連通孔と、該連通孔と通じる連通路と、を通って空気が流入するように構成したことを特徴とする櫛付き容器。
【請求項２】
前記蓋体の櫛部の根元に首部を設けるとともに、その首部における櫛歯の並び方向に直交する前後方向の両側の外面には、滑らかに湾曲しながら膨出するガイド面を形成し、前記毛髪用化粧料の液だれをガイド面に沿ってガイドしながら毛髪用化粧料を頭髪に塗布するように構成した請求項１に記載の櫛付き容器。
【請求項３】
前記空気流入孔を櫛部の首部のガイド面以外の領域に設けた請求項２に記載の櫛付き容器。
【請求項４】
前記櫛部の首部における櫛歯の並び方向の両側の外面にくびれを形成することによって絞り部を設け、その絞り部の位置に空気流入孔を少なくとも１つ設けた請求項２又は請求項３に記載の櫛付き容器。
【請求項５】
前記空気流入孔を両絞り部にそれぞれ設けた請求項４に記載の櫛付き容器。
【発明の詳細な説明】
【０００１】
【発明の属する技術分野】
この発明は、例えば、酸化染毛剤、ヘアマニキュア（酸性染毛料）、脱色剤等の液状、クリーム状又はペースト状の毛髪用化粧料を充填して収容するとともに、その毛髪用化粧料を頭髪に直接塗布するために使用される櫛付き容器に関するものである。
【０００２】
【従来の技術】
この種の櫛付き容器としては、例えば特開平１０−１３７０２９号公報に開示されている櫛付きキャップが知られている。この櫛付きキャップは、スクイズ性を有する容器体の口筒部に、キャップ本体を組付けることによって構成されている。前記キャップ本体は、その上端に組付け孔が穿設された頂板が設けられているとともに、その頂板の下方には内容液である毛髪用化粧料の"溜まり"部分を形成するための起立筒が設けられている。さらに、前記頂板上には、ベース板に嵌着筒片と櫛歯片との組合せ物が立設された櫛歯体が、各嵌着筒片を組付け孔に密嵌着させることによって組付けられている。
【０００３】
そして、容器体の胴部を指でスクイズする（押圧して絞り出す）ことによって、各櫛歯片間に毛髪用化粧料を均等に注出させることができることから、頭髪に対して毛髪用化粧料を自然で良好に塗布することができるようになっている。加えて、この櫛付きキャップは、キャップ本体に櫛歯片が設けられていることから、頭髪に対して櫛機能を無理なく適正に発揮させることができるように構成されている。
【０００４】
【発明が解決しようとする課題】
ところが、上記従来の櫛付きキャップでは、容器体の胴部をスクイズして毛髪用化粧料を注出し、スクイズを止めると注出口から空気が吸い込まれて毛髪用化粧料の注出が停止される。このため、容器体内の毛髪用化粧料が少なくなるにつれて容器体内上部に存在する空気量が増大する。その状態で容器体から毛髪用化粧料を注出しようとする場合、容器体の胴部をスクイズして容器体内の空気を抜き出してから毛髪用化粧料を注出するか、又は容器体を倒立させて毛髪用化粧料が注出口に達してから容器体の胴部をスクイズし毛髪用化粧料を注出する必要があった。
【０００５】
しかも、容器体内の毛髪用化粧料の減少によって容器体内の空気量が増大すると、容器体の胴部をスクイズして毛髪用化粧料を注出するとき、空気の巻き込みにより毛髪用化粧料が塗布目的部位の範囲外に飛散するおそれがあるという問題があった。
【０００６】
一方、上記のような問題を解決するために、可撓性外側層と該外側層に剥離自在に積層された内側層とで構成され、外側層に空気導入孔を備え、内側層に吐出口を連通してなる容器本体と、該容器本体の吐出口に接続される塗布具とを有してなる塗布具付き容器も提案されている（特開２０００−１６４７０）。しかしながら、この容器においては、塗布具の櫛歯が容器本体の軸線方向と直交する横方向に突設されている。このため、櫛歯に設けられた孔から吐出される塗布液は容器本体外に垂れ落ちやすく、また不使用時に容器本体を机上に置いたときに櫛歯側に傾きやすく安定性に欠けるという問題があった。
【０００７】
この発明は、上記のような従来技術に存在する問題点に着目してなされたものである。その目的とするところは、毛髪用化粧料の注出を容易に行うことができ、毛髪用化粧料の残存量が少なくなっても注出時に毛髪用化粧料の飛散を抑制することができるとともに、毛髪用化粧料の容器外への垂れ落ちを抑制でき、かつ机上に置いたときの安定性が良好な櫛付き容器を提供することにある。
【０００８】
【課題を解決するための手段】
上記の目的を達成するために、請求項１に記載の発明の櫛付き容器は、可撓性を有するとともに上部に開口を有する外容器と、同じく可撓性を有するとともに上部に開口を有し、前記外容器と開口を共有するように外容器内に設けられ、内部に液状、クリーム状又はペースト状の毛髪用化粧料を収容する内容器と、外容器と内容器の共有開口を閉塞する蓋体とを備え、前記蓋体の上部には複数の櫛歯からなる櫛部を設けるとともに、その櫛歯を内容器の軸線方向の外方に向けて配置し、該櫛歯に吐出孔を穿設し、外容器をスクイズすることにより内容器に充填された毛髪用化粧料を櫛歯の吐出孔から吐出し、スクイズを止めることによりその吐出が止まるとともに、外容器と内容器との間の第１空間部に、蓋体の表面に設けられた空気流入孔と、該孔から流入した毛髪用化粧料が流入しないように空気流入孔から流入した毛髪用化粧料を受容する第２空間部を介して蓋体の内部に設けられた連通孔と、該連通孔と通じる連通路と、を通って空気が流入するように構成したことを特徴とするものである。
【０００９】
請求項２に記載の発明の櫛付き容器は、請求項１に記載の発明において、前記蓋体の櫛部の根元に首部を設けるとともに、その首部における櫛歯の並び方向に直交する前後方向の両側の外面には、滑らかに湾曲しながら膨出するガイド面を形成し、前記毛髪用化粧料の液だれをガイド面に沿ってガイドしながら毛髪用化粧料を頭髪に塗布するように構成したものである。
【００１０】
請求項３に記載の発明の櫛付き容器は、請求項２に記載の発明において、前記空気流入孔を櫛部の首部のガイド面以外の領域に設けたものである。
請求項４に記載の発明の櫛付き容器は、請求項２又は請求項３に記載の発明において、前記櫛部の首部における櫛歯の並び方向の両側の外面にくびれを形成することによって絞り部を設け、その絞り部の位置に空気流入孔を少なくとも１つ設けたものである。
【００１１】
請求項５に記載の発明の櫛付き容器は、請求項４に記載の発明において、前記空気流入孔を両絞り部にそれぞれ設けたものである。
【００１２】
【発明の実施の形態】
以下、この発明の実施形態を、図面に基づいて詳細に説明する。
図１、図３及び図４に示すように、本実施形態における櫛付き容器１１は全体が合成樹脂により形成されている。そして、可撓性を有するとともに開口を有する外容器１２と、同じく可撓性を有するとともに開口を有し、外容器１２と開口を共有するように同外容器１２内に設けられた内容器１３と、その共有開口を閉塞する蓋体１４とから主に構成されている。
【００１３】
外容器１２は有底円筒状に形成され、その上端に開口が形成されている。外容器１２の上端外周には雄ねじ部１５が設けられており、さらに周方向に延びる一対の突条１６ａ，１６ｂがその雄ねじ部１５を間に挟むようにして設けられている。この一対の突条１６ａ，１６ｂのうち上側の突条１６ａは外容器１２の上端縁（開口端縁）に沿って設けられ、下側の突条１６ｂは雄ねじ部１５の下部に設けられている。また、外容器１２の胴部１２ａ外周面には、多数の凹凸で形成される一対の滑り止め部１７が相対向する位置（図１では一方の滑り止め部１７のみを示す。）に設けられ、把持する際の滑り止めとなっている。なお、各滑り止め部１７は、外容器１２の軸線方向に沿って設けられているが、外容器１２の上端及び下端の部分には設けられず、中間部のみに設けられている。
【００１４】
次に、内容器１３はブロー成形法によって有底円筒状に形成され、その上端に開口が形成されている。内容器１３の上部にはほぼ直角に細くくびれて形成されたくびれ部１３ａがあり、そのくびれ部１３ａの上には内容器１３の開口を構成する口部１３ｂが設けられている。そして、酸化染毛剤、ヘアマニキュア、脱色剤等の液状、クリーム状又はペースト状の毛髪用化粧料が、この内容器１３の内部に収容されるようになっている。また、内容器１３は前記外容器１２に対して分離可能に収容されている。
【００１５】
さらに、内容器１３の口部１３ｂの上端部には外方に突出するフランジ１８が形成されており、内容器１３を外容器１２内に収容したときには、このフランジ１８の下面が外容器１２の上端面に係止されるようになっている。
【００１６】
フランジ１８の下面には、内容器１３と外容器１２との間の空間部１９に空気を導入するための凹溝２０が４つ（図３では一つの凹溝２０のみを示す。）周方向に等間隔をおいて凹設されている。さらに口部１３ｂの外側面には、周方向に延びる凹所２１が設けられている。また、口部１３ｂからくびれ部１３ａにかけての内周面は滑らかな段差状に形成されている。
【００１７】
外容器１２及び内容器１３を形成する材料としては、具体的には高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン−酢酸ビニル共重合体けん化物（ＥＶＯＨ）、ポリアクリロニトリル、ポリエチレンテレフタレート（ＰＥＴ）等のポリエステル、ポリプロピレン（ＰＰ）、ポリ塩化ビニル、ナイロン等の可撓性を有する合成樹脂が挙げられる。そして、これらの中から選ばれるいずれか一種又は二種以上を混合したもので、単層或いは積層形成される。なお、本実施形態の外容器１２及び内容器１３はともにポリエチレンで形成されており、このため使用後に廃棄処分する場合に外容器１２と内容器１３を分別する必要がない。
【００１８】
また、上記した合成樹脂に樹脂改質剤などの添加剤を加えてもよく、本実施形態では樹脂改質剤としてα−オレフィン共重合体［三井石油化学工業（株）製の商品名タフマー（登録商標）］を添加した材料で外容器１２が形成されている。樹脂改質剤の添加量は２０〜３０重量％の範囲が好ましく、２４〜２６重量％の範囲がより好ましい。この添加量が２０重量％未満では樹脂改質剤の効果が弱く、逆に３０重量％を超えると透明性が低下するため好ましくない。
【００１９】
続いて蓋体１４は、蓋本体２２と毛髪用化粧料を塗布するための櫛部２３とから一体的に構成されている。蓋体１４の下部に形成された蓋本体２２はほぼ円筒状をなし、その内周面には前記外容器１２の雄ねじ部１５に螺合される雌ねじ部２４が設けられている。そして、この雄ねじ部１５と雌ねじ部２４の螺合関係により蓋体１４は外容器１２に着脱可能に構成され、外容器１２と内容器１３の共有開口を蓋体１４で開閉できるようになっている。
【００２０】
蓋体１４を外容器１２に装着させたときには、外容器１２の一対の突条１６ａ，１６ｂのうち上側の突条１６ａが蓋本体２２の内周面に当接し、これにより櫛付き容器１１の内外がシールされるようになっている。また、蓋本体２２の外周面には、上下方向に延びる滑り止め突条２５が８本（図１では一部の滑り止め突条２５を示す。）周方向に一定間隔をおいて突設されており、蓋体１４を外容器１２に着脱する際に滑り止めの役割をするようになっている。
【００２１】
前記櫛部２３は、蓋本体２２に嵌め込まれるとともに、上方に向かって突設された複数の櫛歯２３ａを備えている。これらの櫛歯２３ａは左右方向に一定の間隔をおいて一列に並設され、中間に設けられた櫛歯２３ａ（本実施形態では６つ）は別体で成形され、嵌め込まれている。中間部の各櫛歯２３ａの先端部には供給通路２６に連通された吐出孔２７が供給通路２６と直交方向に貫通形成され、毛髪用化粧料が供給通路２６を介して吐出孔２７から吐出されるようになっている。
【００２２】
なお、この隣接する櫛歯２３ａ間の間隔は、毛髪用化粧料の頭髪へのなじみとのびを良好にするために、好ましくは３．０〜５．０ｍｍ、より好ましくは３．５〜４．５ｍｍ、特に好ましくは３．７〜４．３ｍｍである。この櫛歯２３ａ間の間隔が３．０ｍｍ未満の場合には、櫛歯２３ａと頭髪とが絡まりやすくなること等から、コーミングする際の頭髪への負荷が大きくなり、頭髪を傷めてしまうおそれがある。逆に、櫛歯２３ａ間の間隔が５．０ｍｍを越える場合には、コーミングするときの抵抗が少ないため、コーミングが適切に行われているかどうかが分かり難くなってしまう。
【００２３】
図２（ａ）、（ｂ）に示すように、蓋体１４の櫛部２３の根元、すなわち櫛部２３の下部から蓋本体２２の上部にかけて、櫛部２３及び蓋本体２２の下部より細径の首部２８が設けられ、その首部２８の外面には滑らかに湾曲しながら膨出するガイド面２９が形成されている。このガイド面２９は、毛髪用化粧料の液だれをガイドしながら毛髪用化粧料を頭髪に円滑に塗布できるようにしている。櫛部２３の両端側に位置する首部２８には、くびれを形成することによって絞り部３０が設けられ、その絞り部３０の位置に一対の空気流入孔３１が設けられている。つまり、これらの空気流入孔３１が前記ガイド面２９を避けて、それ以外の領域に設けられている。
【００２４】
また、蓋体１４の内部は複数部材によって構成された隔壁３２によって、二つの小室３３ａ，３３ｂに区画されている。一方の小室３３ａは連通路３４、連通孔３５などを介して、前記空気流入孔３１から外部に連通するとともに、内容器１３の凹溝２０などを介して外容器１２と内容器１３との間の空間部１９にも連通している。ただし、隔壁３２には弁体３６が突設されており、この弁体３６が通常は実線で示すように小室３３ａを二分する位置にあるため、外容器１２と内容器１３の間の空間部１９と櫛付き容器１１の外部とは連通していない。しかし、外部から空気流入孔３１、連通孔３５、連通路３４を介して櫛付き容器１１内に空気が導入された場合にはその空気の圧力で弁体３６が二点鎖線で示すように下方に変形をし、両者間が連通される。
【００２５】
他方の小室３３ｂは櫛部２３にある前記供給通路２６、吐出孔２７を介して外部に連通するとともに、内容器１３の内部に連通している。この小室３３ｂにおいても隔壁３２から突設された開閉弁３７が通常実線で示すように小室３３ｂを二分する位置にあり、このために内容器１３の内部と櫛付き容器１１の外部とは連通していない。しかし、内容器１３から毛髪用化粧料が吐出された場合にはその圧力で開閉弁３７が二点鎖線で示すように上方に変形をし、両者間が連通される。
【００２６】
なお、本実施形態における櫛付き容器１１は蓋体１４を取り外してその代わりに図示しないキャップを装着させることができるほか、蓋体１４やキャップを取り外してチューブ容器から毛髪用化粧料を内容器１３の内部に供給できるようにも構成されている。
【００２７】
次に、上記のように構成された櫛付き容器１１の作用を説明する。
本実施形態における櫛付き容器１１を使用して頭髪に毛髪用化粧料を塗布する場合には、内容器１３の内部に毛髪用化粧料を充填した後、外容器１２の胴部１２ａをスクイズしながら櫛部２３で頭髪をコーミングすることによって、頭髪の表面に毛髪用化粧料を塗布することができる。このとき、図５に示すように、吐出孔２７から吐出された毛髪用化粧料３８は、櫛歯２３ａの外面を伝って、そこに摺接されている頭髪３９の表面に直接塗布される。
【００２８】
さらに、同じ部位の頭髪３９を複数回コーミングすることによって、頭髪３９に付着された毛髪用化粧料３８が櫛歯２３ａの外面、首部２８の上面及びガイド面２９に付着され、その付着された毛髪用化粧料３８が再度頭髪３９の表面に拡散しながら塗布される。さらにこのとき、首部２８の上面及びガイド面２９に付着された毛髪用化粧料３８は、図１に矢印で示されるように、ガイド面２９に沿って拡散されながら、図５に示されるように、それらの面に摺接されている頭髪３９の表面に再度塗布される。
【００２９】
従って、この櫛付き容器１１は、櫛歯２３ａの外面、首部２８の上面及びガイド面２９に摺接された頭髪３９に対して、毛髪用化粧料３８を様々な方向から同時に塗布することができることから、頭髪３９の表面全体に薄く均一に毛髪用化粧料３８を塗布することができる。加えて、毛髪用化粧料３８がガイド面２９に沿ってガイドされながら拡散されることから、首部２８の絞り部３０等に液だれするおそれがほとんどない。
【００３０】
前記のように、外容器１２をスクイズすると外容器１２の内部が加圧され、内容器１３が収縮して毛髪用化粧料が内容器１３から蓋体１４内の小室３３ｂに吐出される。そして、内容器１３から吐出された毛髪用化粧料の圧力で開閉弁３７が変形をし、毛髪用化粧料は小室３３ｂ内を移動した後、櫛歯２３ａに設けられた、供給通路２６、吐出孔２７から外部に吐出される。このとき、弁体３６は図３に実線で示す位置に移動し、小室３３ａが二分されて、外容器１２と内容器１３の間の空間部１９と櫛付き容器１１の外部とは連通が完全に閉鎖されている。
【００３１】
スクイズを止めると内容器１３の収縮が止まって毛髪用化粧料の吐出が止まるとともに、外容器１２が元の形状に復元しようとするために外容器１２の内部が減圧される。その結果、外部の空気が蓋体１４の空気流入孔３１から連通孔３５、連通路３４を介して小室３３ａ内に流入し、流入された空気の圧力で弁体３６が図３に二点鎖線で示す位置に移動し、その空気は凹溝２０などを介して外容器１２と内容器１３の間の空間部１９に流入する。よって、外容器１２の形状は元の形状に復元され、その一方で内容器１３の形状は収縮した状態のまま保持される。
【００３２】
内容器１３内の毛髪用化粧料が空になってその内部に毛髪用化粧料を充填する場合には、開放された状態の外容器１２と内容器１３の共有開口にチューブ容器の先端を嵌め合わせた後、チューブ容器を押し潰してその毛髪用化粧料を内容器１３内に注入する。
【００３３】
上記実施形態によって発揮される効果について、以下に記載する。
・  実施形態で説明した櫛付き容器１１は、外容器１２と内容器１３とそれらの共有開口を閉塞する蓋体１４とを備え、外容器１２と内容器１３との間の空間部１９に蓋体１４に設けられた空気流入孔３１から空気が流入するように構成されている。このため、毛髪用化粧料の注出を容易に行うことができるとともに、毛髪用化粧料の残存量が少なくなっても注出時に毛髪用化粧料の飛散を抑制することができる。
【００３４】
・  また、櫛歯２３ａは蓋本体２２から横方向ではなく、内容器１３の軸線方向の外方（上方）に向けて配置されている。このため、毛髪用化粧料の外容器１２外への垂れ落ちを抑制することができる。しかも、櫛歯２３ａの重心が内容器１３の軸線上に位置するように構成されていることから、櫛付き容器１１を机上に置いたときの安定性が良好である。
【００３５】
・  前記蓋本体２２の首部２８外面には、滑らかに湾曲しながら膨出するガイド面２９が設けられている。このため、櫛付き容器１１の使用時において、毛髪用化粧料の液だれをガイド面２９に沿って誘導することができ、液が空気流入孔３１側に流れて空気流入孔３１を塞ぐことを回避することができる。そして、毛髪用化粧料をガイド面２９にガイドしながら頭髪に塗布することができる。さらに、毛髪用化粧料が蓋体１４の外面に液だれして溜まるのを容易に防止することができ、毛髪用化粧料を有効に利用して無駄を少なくすることができる。
【００３６】
・  上記空気流入孔３１は蓋体１４のガイド面２９以外の領域に設けられているため、空気流入孔３１に毛髪用化粧料が流入するのを抑制することができる。
・  櫛部２３の両端側に位置する首部２８にくびれを形成することによって絞り部３０が設けられ、毛髪用化粧料がガイド面２９の端縁から絞り部３０へと液だれし難い形状に形成されている。さらに、その絞り部３０の位置に一対の空気流入孔３１が設けられている。このため、空気流入孔３１に毛髪用化粧料が流入するのをより確実に抑制することができ、スクイズ後に外容器１２が変形した状態から元の状態へ復元するのが速やかに行われ、櫛付き容器１１の使い勝手を向上させることができる。
【００３７】
さらに、空気流入孔３１は櫛部２３の両端側、すなわち１８０度対向する左右対称位置にそれぞれ設けられていることから、空気の流入効率が優れている。また、万一空気流入孔３１の一方が塞がれても他方から空気が流入されるので、直ちに操作ができない状態に到るおそれはない。
【００３８】
・  コーミング操作を行って内容器１３が偏って収縮した場合、従来のように櫛歯が横向きのタイプのときにはその重心が櫛歯側に偏るため、内容器１３内の毛髪用化粧料と櫛歯２３ａの位置が一致したとき、櫛付き容器１１を机上に置くと倒れるおそれがあった。これに対し、本実施形態では櫛歯２３ａが上向きのタイプであることから、その重心が内容器１３の中心軸線上に位置し、上記のような場合でも机上に安定した状態で置くことができる。
【００３９】
・  加えて、同じ部位の頭髪を複数回コーミングすることによって、頭髪の表面に対し毛髪用化粧料を様々な方向から同時に塗布することができることから、毛髪用化粧料を容易に頭髪の表面全体に薄く均一に塗布することが可能である。
【００４０】
・  櫛部２３の両端側に位置する首部２８には絞り部３０が設けられていることから、蓋体１４の製造に要する合成樹脂量を低減させることができるとともに、成形時のひけや空気溜まりの形成等を効果的に抑制することができる。
【００４１】
なお、本実施形態は、次のように変更して具体化することも可能である。
・  参考例として図６に示すように、実施形態の首部２８に設けられた空気流入孔３１を省略し、外容器１２の雄ねじ部１５及び上下の突条１６ａ,１６ｂに空気流入孔３１ａを設けてもよい。或いは、蓋本体２２の雌ねじ部２４に空気流入孔を設けてもよい。この場合、小室３３ａに設けられた弁体３６を省略し、外容器１２と内容器１３の間の空間部１９に弁体３６を設ける。この構成によれば、外容器１２と蓋本体２２との間から弁体３６を介して外容器１２と内容器１３の間の空間部１９に空気を流入させることができる。
【００４２】
・  蓋体１４の首部２８に形成された絞り部３０に空気流入孔３１を１箇所のみ又は３箇所以上設けてもよい。また、空気流入孔３１の形状を横長又は縦長の長孔にしてもよい。
【００４３】
・  蓋体１４の首部２８、その首部２８の外面に設けられたガイド面２９又は首部２８に設けられた絞り部３０を省略してもよい。
・  蓋体１４の蓋本体２２と櫛部２３を一体成形する構成にしてもよい。また、櫛部２３全体を一体成形する構成を採用してもよい。その場合、吐出孔２７は全ての櫛歯２３ａに一直線状に並ぶように設けられる。
【００４４】
・  外容器１２と内容器１３とを、それぞれ可撓性外側層と可撓性内側層とにより剥離自在に積層された構成とすることも可能である。
・  櫛歯２３ａ全体の数を変えたり、吐出孔２７が設けられている櫛歯２３ａの数を変えたり、吐出孔２７の大きさや位置を変えたりしてもよい。
【００４５】
・  外容器１２及び内容器１３を、例えば有底三角筒状、有底四角筒状、有底六角筒状、有底八角筒状等の有底多角筒状、又は有底楕円筒状に形成してもよい。
【００４６】
・  滑り止め部１７又は滑り止め突条２５を省略して構成することも可能である。このように構成した場合、櫛付き容器１１の構成を簡略化することができる。
【００４７】
・  毛髪用化粧料として、例えば整髪料等を使用してもよい。
さらに、前記実施形態より把握できる技術的思想について以下に記載する。
・  前記櫛歯の重心は内容器の軸線上に位置するように構成することを特徴とする請求項１から請求項５のいずれか一項に記載の櫛付き容器。このように構成した場合、内容器内の毛髪用化粧料が偏って存在した場合でも、櫛付き容器を机上に安定した状態で置くことができる。
【００４８】
・  前記櫛歯を扁平状に形成し、櫛歯間の延びる方向にガイド面を設けることを特徴とする請求項２から請求項５のいずれか一項に記載の櫛付き容器。このように構成した場合、毛髪用化粧料を櫛歯の間からガイド面に円滑に誘導することができる。
【００４９】
【発明の効果】
以上詳述したように、この発明によれば、次のような効果を奏する。
請求項１に記載の発明の櫛付き容器によれば、毛髪用化粧料の注出を容易に行うことができ、毛髪用化粧料の残存量が少なくなっても注出時に毛髪用化粧料の飛散を抑制することができるとともに、毛髪用化粧料の容器外への垂れ落ちを抑制でき、かつ机上に置いたときの安定性が良好である。
【００５０】
請求項２に記載の発明の櫛付き容器によれば、請求項１に記載の発明の効果に加えて、毛髪用化粧料の液だれをガイド面に沿ってガイドしながら毛髪用化粧料を頭髪に塗布することができる。
【００５１】
請求項３に記載の発明の櫛付き容器によれば、請求項２に記載の発明の効果に加えて、空気流入孔に毛髪用化粧料が流入するのを抑制することができる。
請求項４に記載の発明の櫛付き容器によれば、請求項２又は請求項３に記載の発明の効果に加えて、空気流入孔に毛髪用化粧料が流入するのをより確実に抑制することができる。
【００５２】
請求項５に記載の発明の櫛付き容器によれば、請求項４に記載の発明の効果に加えて、外容器と内容器との間の空間に空気を容易に導入することができる。
【図面の簡単な説明】
【図１】  実施形態の櫛付き容器を示す斜視図。
【図２】  （ａ）は櫛付き容器の一部を示す正面図、（ｂ）は同じく櫛付き容器の一部を示す側面図。
【図３】  櫛付き容器の上部を示す部分正断面図。
【図４】  櫛付き容器の上部を示す部分側断面図。
【図５】  櫛付き容器の使用時における作用を示す部分断面図。
【図６】  参考例としての櫛付き容器を示す部分断面図。
【符号の説明】
１１…櫛付き容器、１２…外容器、１３…内容器、１４…蓋体、２３…櫛部、２３ａ…櫛歯、２７…吐出孔、２８…首部、２９…ガイド面、３０絞り部、３１ａ…空気流入孔、３８…毛髪用化粧料。
【図１】
0004355467.tif 000002
【図２】
0004355467.tif 000003
【図３】
0004355467.tif 000004
【図４】
0004355467.tif 000005
【図５】
0004355467.tif 000006
【図６】
0004355467.tif 000007